(57)【要約】      （修正有）【課題】緩勾配の屋根でも、良好な雨水の排水性を発揮して屋根下地への雨水の侵入が防止される屋根板材を提供する。【解決手段】屋根板材２の横方向の一端部に重ね板部３が設けられていると共に、重ね板部３が上方から重ねられる接合板部４が屋根板材２の他端部に設けられていて、屋根下地１上に敷設固定されている屋根板材２の接合板部４に、屋根板材２の横隣に敷設固定される他の屋根板材２の重ね板部３を上方から重ねることによって複数の屋根板材２同志を横方向に接合しつつ並設し得るように構成され、接合板部４に、屋根勾配方向に沿った溝長を有する排水溝５が、屋根勾配と直交する横方向に二以上並設されている。【選択図】図１
0003218338.tif 000002
【実用新案登録請求の範囲】
【請求項１】
屋根下地上に屋根勾配と直交する横方向に複数並設状態にして敷設固定される屋根板材であって、屋根板材の横方向の一端部に重ね板部が設けられていると共に、この重ね板部が上方から重ねられる接合板部が屋根板材の他端部に設けられていて、屋根下地上に敷設固定されている屋根板材の前記接合板部に、この屋根板材の横隣に敷設固定される他の屋根板材の前記重ね板部を上方から重ねることによって複数の屋根板材同志を横方向に接合しつつ並設し得るように構成され、この接合板部に、屋根勾配方向に沿った溝長を有する排水溝が設けられている屋根板材において、前記接合板部に、前記排水溝が屋根勾配と直交する横方向に二以上並設されていることを特徴とする屋根板材。
【請求項２】
前記接合板部は、屋根勾配と直交する横方向に凹凸が連続する波板形状に折曲加工されていると共に、少なくとも凹部が屋根勾配と直交する横方向に二以上並設する波板形状に折曲加工されて、この二以上の凹部が前記排水溝として構成されていることを特徴とする請求項１記載の屋根板材。
【請求項３】
前記重ね板部は、波板形状の前記接合板部の、横方向の両端に存する凸部に近接若しくは当接した状態で接合板部に重ねられる形状に形成されていることを特徴とする請求項２記載の屋根板材。
【請求項４】
前記重ね板部は、下面が上方に向かって凸となる断面形状に折曲加工されていると共に、この重ね板部の、横方向の両端に存する垂下面が、波板形状の前記接合板部の、横方向の両端に存する凸部の夫々の外側の立上がり面に近接若しくは当接した状態で接合板部に重ねられる形状に形成されていることを特徴とする請求項２，３のいずれか１項に記載の屋根板材。
【考案の詳細な説明】
【技術分野】
【０００１】
本考案は、建物用の屋根板材に関するものである。
【背景技術】
【０００２】
横葺タイプの金属製屋根板材は、一般にほぼ横長方形状であって、屋根板材の横方向の一端部に重ね板部が設けられていると共に、この重ね板部が上方から重ねられる接合板部が屋根板材の他端部に設けられていて、屋根下地（野地板）上に敷設固定されている屋根板材の前記接合板部に、この屋根板材の横隣に敷設固定される他の屋根板材の前記重ね板部を上方から重ねることによって複数の屋根板材同志が横方向に接合されるように構成されている。そして、屋根下地の勾配下方側に敷設固定された屋根板材の勾配上部側敷設部の上面に、屋根下地の勾配上方側に敷設固定される他の屋根板材の勾配下部側敷設部の下面を上方から重ねて上下の屋根板材同士を接合していくことによって、多数の屋根板材を屋根勾配方向にも葺設し得るように構成されている（例えば、特許文献１参照。）。
【０００３】
また、前記接合板部には、屋根勾配方向に沿った溝長を有する一条の排水溝が設けられており（特許文献１の図４参照）、接合板部と重ね板部との接合部位に雨水が流れ込んでも、この排水溝から屋根軒先方向へと排水されることで屋根下地への雨水の侵入が防止されている。
【先行技術文献】
【特許文献】
【０００４】
【特許文献１】特許第５４８０３５３号公報
【考案の概要】
【考案が解決しようとする課題】
【０００５】
近年は、通常よりも勾配が緩やかな屋根の需要がある。
【０００６】
ところが、これまでの屋根板材を用いて緩勾配屋根を構築すると、特に近年多発傾向にある豪雨の時や、降雨中に屋根の勾配下方側から勾配上方側へ吹き上げるような風が吹いた時には、排水溝を流れる雨水が屋根勾配下方側へと流下できずに、横方向に溢れて屋根下地へと侵入してしまう懸念があった。
【０００７】
本考案は、このような問題点を見い出し、これを解決しようとするもので、緩勾配屋根を構築した場合であっても、良好な雨水排水性能を発揮できる実用性に優れた屋根板材を提案するものである。
【課題を解決するための手段】
【０００８】
添付図面を参照して本考案の要旨を説明する。
【０００９】
屋根下地１上に屋根勾配と直交する横方向に複数並設状態にして敷設固定される屋根板材２であって、屋根板材２の横方向の一端部に重ね板部３が設けられていると共に、この重ね板部３が上方から重ねられる接合板部４が屋根板材２の他端部に設けられていて、屋根下地１上に敷設固定されている屋根板材２の前記接合板部４に、この屋根板材２の横隣に敷設固定される他の屋根板材２の前記重ね板部３を上方から重ねることによって複数の屋根板材２同志を横方向に接合しつつ並設し得るように構成され、この接合板部４に、屋根勾配方向に沿った溝長を有する排水溝５が設けられている屋根板材２において、前記接合板部４に、前記排水溝５が屋根勾配と直交する横方向に二以上並設されていることを特徴とする屋根板材に係るものである。
【００１０】
また、前記接合板部４は、屋根勾配と直交する横方向に凹凸が連続する波板形状に折曲加工されていると共に、少なくとも凹部５が屋根勾配と直交する横方向に二以上並設する波板形状に折曲加工されて、この二以上の凹部５が前記排水溝５として構成されていることを特徴とする請求項１記載の屋根板材に係るものである。
【００１１】
また、前記重ね板部３は、波板形状の前記接合板部４の、横方向の両端に存する凸部６に近接若しくは当接した状態で接合板部４に重ねられる形状に形成されていることを特徴とする請求項２記載の屋根板材に係るものである。
【００１２】
また、前記重ね板部３は、下面が上方に向かって凸となる断面形状に折曲加工されていると共に、この重ね板部３の、横方向の両端に存する垂下面７が、波板形状の前記接合板部４の、横方向の両端に存する凸部６の夫々の外側の立上がり面８に近接若しくは当接した状態で接合板部４に重ねられる形状に形成されていることを特徴とする請求項２，３のいずれか１項に記載の屋根板材に係るものである。
【考案の効果】
【００１３】
本考案は上述のように構成したから、緩勾配の屋根を構築した場合や、豪雨時や降雨中に屋根の勾配下方側から勾配上方側へ吹き上げるような風が吹いた時であっても、二以上の排水溝を介して雨水が屋根勾配下方側へとスムーズに流下して屋根下地への雨水の侵入が防止される極めて実用性に優れた屋根板材となる。
【００１４】
また、請求項２記載の考案においては、接合板部に、排水溝が屋根勾配と直交する横方向に二以上並設されている構成を、簡易構成にして容易に設計実現可能となる一層実用性に優れた構成の屋根板材となる。
【００１５】
また、請求項３，４記載の考案においては、重ね板部と接合板部との接合性が向上してこの接合部位の防水性も向上する一層実用性に優れた構成の屋根板材となる。
【図面の簡単な説明】
【００１６】
【図１】本実施例の、屋根下地上に敷設固定された屋根板材の接合板部に、他の屋根板材の重ね板部を重ねようとする様子を示す説明斜視図である。
【図２】本実施例の重ね板部と接合板部の接合構造を示す部分拡大正断面図である。
【考案を実施するための形態】
【００１７】
好適と考える本考案の実施形態を、図面に基づいて本考案の作用を示して簡単に説明する。
【００１８】
屋根下地１上に敷設固定されている屋根板材２の前記接合板部４に、この屋根板材２の横隣に敷設固定される他の屋根板材２の前記重ね板部３を上方から重ねることによって複数の屋根板材２同志を横方向に接合しつつ屋根下地１上に並設状態にして敷設固定する。同様にして多数の屋根板材２を横方向に接合しつつ敷設固定していくことにより屋根を形成する。
【００１９】
降雨時に、雨水が接合板部４と重ね板部３との接合部位に流れ込むと、接合板部４に設けられている排水溝５を介して屋根勾配下方側（屋根軒先方向）へと排水されるので、屋根下地１への雨水の侵入が防止される。
【００２０】
また、本考案の屋根板材２を用いて緩勾配の屋根を構築した場合や、豪雨時や降雨中に屋根の勾配下方側から勾配上方側へ吹き上げるような風が吹いた時には、排水溝５を流れる雨水が屋根勾配下方側へとスムーズに流下せずに横方向に溢れてしまうことがあるが、屋根勾配と直交する横方向に排水溝５が二以上並設されている本考案にあっては、屋根板材２の最も重ね板部３側に存する排水溝５から溢れた雨水が、隣に並設する排水溝５へと流入することとなり、二以上の排水溝５を介して屋根勾配下方側へと排水されることになるので、屋根下地１への雨水の侵入が防止される。
【実施例】
【００２１】
本考案の具体的な実施例について図面に基づいて説明する。
【００２２】
本実施例の屋根板材２は、図１に示すように、屋根下地１（野地板１）の勾配方向と直交する横方向に長さを有する横長の方形板状であって、勾配上部側敷設部９に、上方へ立上がる形状に折曲形成された立上がり受部10を有すると共に、前記勾配下部側敷設部11の下端部に、この勾配下部側敷設部11の下面を前記勾配上部側敷設部９の上面に上方から重ねた際に前記立上がり受部10に重合可能で且つ下方へ垂下する形状に折曲形成された垂下重合部12を有している。
【００２３】
具体的には、天然石が吹付けられたガルバリウム鋼板（登録商標）屋根材等に採用される、勾配上部側敷設部９と勾配下部側敷設部11とに巻き込み部を有しない横葺タイプの屋根板材２であって、重合させた前記垂下重合部12と前記立上がり受部10を、ビスなどの接合具（図示省略）より接合すると、屋根下地１の勾配上方側に敷設固定した屋根板材２と勾配下方側に敷設固定した屋根板材２とが接合されるように構成されている。
【００２４】
また、本実施例は、屋根板材２の横方向の一端部に重ね板部３が設けられていると共に、この重ね板部３が上方から重ねられる接合板部４が屋根板材２の他端部に設けられていて、屋根下地１上に敷設固定されている屋根板材２の前記接合板部４に、この屋根板材２の横隣に敷設固定される他の屋根板材２の前記重ね板部３を上方から重ねることによって複数の屋根板材２同志を横方向に接合しつつ並設し得るように構成されている。
【００２５】
即ち、屋根下地１上に、多数の屋根板材２が上下左右に葺設されることによって（横葺）屋根が構築されるように構成されている。
【００２６】
本実施例では、この接合板部４に、屋根勾配方向に沿った溝長を有する排水溝５が、屋根勾配と直交する横方向に二条以上並設されている。
【００２７】
具体的には、接合板部４が、屋根勾配と直交する横方向に凹凸が横方向に連続する波板形状に折曲加工されていると共に、この凹凸部のうちの凹部５が少なくとも屋根勾配と直交する横方向に二条以上並設する波板形状に折曲加工されて、この二条以上の凹部５が前記排水溝５として構成されている。
【００２８】
更に詳しくは、接合板部４は、図２に示すように五条の凹凸が横方向に連続する形状であって、接合板部４の屋根勾配方向と直交する方向の両端と中央に凸部６が配設されていると共に、この三箇所の凸部６間に凹部５（排水溝５）が配設された形状に折曲加工されている。
【００２９】
即ち、本実施例では、接合板部４に二条の排水溝５が間隔を置いて（中央の凸部６を介して）並設し、この二条の排水溝５の夫々の外側に凸部６が配設するように構成されている。
【００３０】
このように二条の排水溝５が屋根勾配と直交する横方向に並設する構成を採用した本実施例によれば、豪雨時や降雨中に屋根の勾配下方側から勾配上方側へ吹き上げるような風が吹いた時に、屋根板材２の最も重ね板部３側に存する排水溝５から溢れた雨水が、凸部６を乗り越えて隣に並設する排水溝５へと流入することとなり、この二条の排水溝５を介して屋根勾配下方側へとスムーズに排水されることになる。
【００３１】
また、出願人の試作実験によると、スタンダードな２.５寸勾配（２.５／１０寸勾配）より緩勾配な２寸勾（２／１０寸勾配）の屋根を構築した場合でも、スムーズな排水性が得られることが確認されている。即ち、本実施例の屋根板材２は、緩勾配屋根形成用としても使用可能である。
【００３２】
また、本実施例の重ね板部３は、波板形状の前記接合板部４の、屋根板材２横方向の両端に存する凸部６に近接若しくは当接した状態で接合板部４に重ねられる形状に形成されている。
【００３３】
具体的には、重ね板部３は、図２に示すように、下面が上方に向かって凸となる断面凸形状に折曲加工されていると共に、この重ね板部３の、屋根板材２横方向の両端に存する垂下面７が、波板形状の前記接合板部４の、屋根板材２横方向の両端に存する凸部６の夫々の外側立上がり面８に近接若しくは当接した状態で接合板部４に重ねられる形状に形成されていて、この重ね板部３が接合板部４に被嵌合状態で重ねられることで隣接する屋根板材２同志の接合性が向上すると共に、重ね板部３と接合板部４の接合部位に雨水等が入り込みにくくなって防水性も向上するように構成されている。
【００３４】
図中符号13はアスファルトルーフィング，14は垂木である。
【００３５】
尚、本考案は、本実施例に限られるものではなく、各構成要件の具体的構成は適宜設計し得るものである。
【符号の説明】
【００３６】
１  屋根下地
２  屋根板材
３  重ね板部
４  接合板部
５  排水溝・凹部
６  凸部
７  垂下面
８  立上がり面
【図１】
0003218338.tif 000003
【図２】
0003218338.tif 000004